(57)【要約】【課題】木質系の防火ドアパネルは金属系ドアパネルと比較し、意匠性、暖かみ、軽量性はあるものの、高価であり、重く施工性が良くないという不具合がある。【解決手段】内部に耐火層８を設けたドアパネル１の表裏面を木質系の化粧板７・７で被覆した防火ドア１において、厚み方向略中心に略水平方向の柱状の孔５ａ・５ａ・・・を上下方向に複数形成した木質繊維板を芯材５とし、該芯材５の表裏両面に耐火性能を有する耐火シート６・６を接合して耐火層８とした。【選択図】　　　図３
2004036351.tif 000002
【特許請求の範囲】
【請求項１】
内部に耐火層を設けたドアパネルの表裏面を化粧板で被覆した防火ドアにおいて、前記耐火層を厚み方向略中心位置に柱状孔を複数上下または幅方向に形成した木質繊維板で構成したことを特徴とする防火ドア。
【請求項２】
請求項１に記載の防火ドアにおいて、
前記木質繊維板の表裏面に耐火性を有するシートを接合したことを特徴とする防火ドア。
【発明の詳細な説明】
【０００１】
【発明の属する技術分野】
本発明は、木質系の防火ドアの構造に関する。
【０００２】
【従来の技術】
従来、一般住宅、集合住宅、公共施設等の開口部に用いられる防火ドアパネルは金属系のドアパネルが主流であった。しかし、金属製のドアパネルは木質感や暖かみがなく、意匠性に欠け且つ重く施工性が悪いという不具合があった。
そこで、難燃木材、石膏ボード、珪酸カルシウム板等の無機質不燃材、難燃インシュレーションボード、高密度フェノールフォーム板等の組み合わせからなる木質系ドアパネルが製造されるようになった。
【０００３】
【発明が解決しようとする課題】
しかし、木質系の防火ドアパネルは金属系ドアパネルと比較し、意匠性、暖かみ、軽量性はあるものの、高価であり、重く施工性が良くないという不具合がある。
【０００４】
【課題を解決するための手段】
本発明の解決しようとする課題は以上の如くであり、次にこの課題を解決するための手段を説明する。
【０００５】
即ち、請求項１においては、内部に耐火層を設けたドアパネルの表裏面を化粧板で被覆した防火ドアにおいて、前記耐火層を厚み方向略中心位置に柱状孔を複数上下または幅方向に形成した木質繊維板で構成したものである。
【０００６】
請求項２においては、請求項１に記載の防火ドアにおいて、前記木質繊維板の表裏面に耐火性を有するシートを接合したものである。
【０００７】
【発明の実施の形態】
次に、発明の実施の形態を説明する。
図１は本発明の実施例に係る防火ドアの全体的な構成を示した正面図、図２はドアパネルの構造を示す斜視断面図、図３はドアパネルの構造を示す縦断面図である。
【０００８】
本発明に係る防火ドア１は、図１に示す如く、枠体３の内部に略方形状の板状部材であるドアパネル２を配設したものである。
なお、防火ドア１は特に細部の構成において本実施例に限定されるものでなく、ドアパネル２の構造は、開き戸（扉）及び引き戸のいずれにておいても適用することができる。
【０００９】
ドアパネル２は、芯材５として断熱性を有する木質繊維板を採用し、該芯材５の表裏両面にそれぞれ耐火性を有する耐火シート６・６としてセラミックファイバーを接合して、芯材５と耐火シート６・６で耐火層８を形成し、該耐火層８の表裏面に木質の化粧板７・７を接合して、構成されている。すなわち、ドアパネル２は、表面から、表化粧板７→耐火シート６→芯材５→耐火シート６→裏化粧板７の順に積層し、表裏の化粧板７・７で耐火層８を挟んで構成した板状材である。なお、これらは接着剤等で接合される。
また、枠体３は、難燃性硬質木材或いは難燃性鋼材等の難燃材から構成されて、ドアパネル２の上下左右の四周縁を包囲している。
【００１０】
ドアパネル２を構成する芯材５は断熱性を有し、耐火シート６・６は耐火性を有するので、ドアパネル２の表裏面を覆う化粧板７・７や、難燃材からなる枠体３が燃えても耐火層８を構成する芯材５及び耐火シート６・６まで燃え広がることはない。また、防火ドア１をとりつけた開口部枠（図示せず）も難燃材で構成して、防火ドア１を介して燃焼が広がることがないようにする。
そして、木材のリサイクル製品である木質繊維板を利用してドアパネル２を製造し、また、これによって製造されるドアパネル２は、廃却時に再びリサイクルすることができ、環境に優しい素材を採用したドアパネル２となる。
【００１１】
本発明に係る防火ドア１の特徴は、図２に示す如く、芯材５を木質繊維板とし、該芯材５の厚み方向略中心位置において、略水平方向の柱状の孔５ａ・５ａ・・・を上下複数形成していることである。従って、芯材５の縦断面において、図３に示す如く、円状の孔がドアパネル２の縦断面長尺方向に整列して設けられた状態となる。
なお、孔５ａ・５ａ・・・の縦断面形状は円状に限定されるものではなく、例えば、四角形や六角形等の多角形状とすることができる。
また、本実施例では、柱状の孔５ａ・５ａ・・・は略水平方向に設けられているが、略垂直方向に設けることもできる。また、柱状の孔５ａ・５ａ・・・は１列としているが複数列とすることもできる。
【００１２】
上述の如く芯材５に設けられた柱状の孔５ａ・５ａ・・・は、同方向に整列して設けられているため、芯材５の強度はパネルの全面に亘って均一に保持され、また、孔５ａ・５ａ・・・の面積はパネルに十分な強度を維持する程度とされて、ドアパネル２の剛性上不具合のないようにされている。
【００１３】
芯材５に孔５ａ・５ａ・・・を設けることにより、芯材５の内部に空気層を形成することになり、木質繊維板の内部であってドアパネル２厚み方向の中心部に、さらに空気層を形成することで、より断熱性及び防音性を向上させることができる。
また、火炎に伴う高温による反り返り等の変形を低減させることができる。
【００１４】
さらに、孔５ａ・５ａ・・・を設けることにより、芯材５を中実としたときと比較してドアパネル２を軽量とすることができ、ドアの開閉音を低減させるとともに開閉のための操作荷重を低減させ、また、運搬性・施工性を向上させることができる。
【００１５】
なお、ドアパネル２の耐火性及び耐熱性を向上させる際には、芯材５の厚みを調整する。耐熱層の厚みが増せば耐火性及び耐熱性が高まり、規定の耐火性能（甲種防火戸・乙種防火戸）の基準に適応したものとすることができる。
【００１６】
前記柱状の孔５ａ・５ａ・・・は芯材５となる木質繊維板の製造時に、型成形により形成する。木質繊維板は、木材繊維を高温・高圧でプレス加工して製造するため、天然木よりも安価であって均質な材質と平滑な表面を実現することが可能であり、さらに、曲げ・型抜きなどの加工性にも優れているという利点がある。従って、芯材５を成形加工の容易な木質繊維板とすることで、ドアパネル２を安価に製造することができる。
さらに孔５ａ・５ａ・・・はドアパネル２の全幅に亘って設けられて、製造時には孔５ａ・５ａ・・・の形成された板状体をドアの大きさに合わせて切断して所望のサイズの芯材５を得ることができ、芯材５の汎用性を高めて、より安価に構成することができる構成としている。
【００１７】
上述の如く構成したドアパネル２から成る防火ドア１は、表裏面に木質系の化粧板７・７を備えることができて、木質感や暖かみを備え意匠性の優れた木質系防火ドアとすることができる。また、優れた耐火性能を備えながらも、安価に構成することができ、さらに、軽量化が図られて、施工性を高めることができる。
【００１８】
【発明の効果】
本発明は、以上のように構成したので、以下に示すような効果を奏する。
【００１９】
即ち、請求項１に示す如く、内部に耐火層を設けたドアパネルの表裏面を化粧板で被覆した防火ドアにおいて、前記耐火層を厚み方向略中心位置に柱状孔を複数上下または幅方向に形成した木質繊維板で構成したので、ドアパネルの軽量化を図ることができる。また、木質系の防火ドアパネルを安価に製造することができる。
【００２０】
請求項２に示す如く、請求項１に記載の防火ドアにおいて、前記木質繊維板の表裏面に耐火性を有するシートを接合したので、優れた耐火性能を実現する軽量のドアパネルを構成することができる。
【図面の簡単な説明】
【図１】本発明の実施例に係る防火ドアの全体的な構成を示した正面図。
【図２】ドアパネルの構造を示す斜視断面図。
【図３】ドアパネルの構造を示す縦断面図。
【符号の説明】
１　防火ドア
２　ドアパネル
３　枠体
５　芯材
５ａ　孔
６　耐火シート
７　化粧板
８　耐火層
【図１】
2004036351.tif 000003
【図２】
2004036351.tif 000004
【図３】
2004036351.tif 000005